(57)【要約】 【課題】組み立てが容易で、且つ高い強度を持つ蹴込み付き引出し箱の構造を提供することを目的とする。【解決手段】  上部支持具２４ａには、蹴込み板２２と扉板２３をそれぞれ係止めするための矩形形状の２組の凹溝３２、３３が隣接して形成され、この凹溝３２、３３のそれぞれの一方の壁が共有されてスペーサー２５が形成される。凹溝３２、３３のそれぞれ他方の壁３４，３５は長さＴ、厚さＳの長方形の断面形状で形成され、凹溝３２、３３は連続する厚さＳの底壁３６で一体的に形成される。凹溝３２、３３の内部の中心位置に、底壁３６にフック２６、２７がそれぞれ矢印形状に備えられる。凹溝３３の外部である底壁３６の外面３６ａ上に、引出し用の把手部３７が垂直上方に突出して設けられる。凹溝３３の外部である底壁３６の外面３６ａ上に蹴込み付き引出し箱２１を洗面台２０に当接格納するための当接部３８が垂直上方に突出して設けられる。【選択図】  図４
2006122107.tif 000002
【特許請求の範囲】
【請求項１】
引出し箱の蹴込み板と扉板とが支持具を介して固定される蹴込み付き引出し箱の構造であって、
前記支持具は上部支持具と下部支持具とからなり、この上部支持具と下部支持具のそれぞれが、蹴込み板と扉板との間隔を保つスペーサーと、蹴込み板に挿嵌して係止する蹴込み板取付部と、扉板に挿嵌して係止する扉板取付部とで一体成形されることを特徴とする蹴込み付き引出し箱の構造。
【請求項２】
請求項１に記載の蹴込み付き引出し箱の構造であって、
前記上部支持具の上端部に蹴込み付き引出し箱の引出し用の把手部が上方に突出して設けられることを特徴とする蹴込み付き引出し箱の構造。
【請求項３】
請求項１又は請求項２に記載の蹴込み付き引出し箱の構造であって、前記蹴込み付き引出し箱が洗面化粧台の蹴込み付き引出し箱であることを特徴とする蹴込み付き引出し箱の構造。
【請求項４】
引出し箱の蹴込み板と扉板とが支持具を介して固定される蹴込み付き引出し箱の製造方法であって、
前記支持具は上部支持具と下部支持具とからなり、この上部支持具と下部支持具のそれぞれが、蹴込み板と扉板との間隔を保つスペーサーと、蹴込み板に係止する蹴込み板取付部と、扉板に係止する扉板取付部とで一体成形され、
前記上部支持具と下部支持具の蹴込み板取付部と扉板取付部が、蹴込み板と扉板にそれぞれ挿嵌して係止することを特徴とする蹴込み付き引出し箱の製造方法。
【発明の詳細な説明】
【技術分野】
【０００１】
本発明は、調理台、流し台、洗面台等を構成する「蹴込み付き引出し箱」に関し、特に組み立て容易で堅牢な構造を提供する。
【背景技術】
【０００２】
従来、調理台の蹴込み付き引出し箱の構造については、特許文献１に記載の内容が知られている。この特許文献１によれば、調理台３は、上段引出し箱９と中段引出し箱１０と下段引出し箱としての蹴込み付き引出し箱１の３組の引出し箱を備えている。
【０００３】
この「蹴込み付き引出し箱１」の引出し箱４の前側は、連結具６を介して扉板７と蹴込み板８とが連結されている。
【０００４】
ここで、連結具６の前側取付部６ａに上方の扉板７を取付けると共に、連結具６の後側取付部６ｂに下方の蹴込み板８を取付け、扉板７と蹴込み板８間には段差が設けられる。
【０００５】
そして、連結具６に対する扉板７及び蹴込み板８の一方若しくは両方の取付け高さ位置を異なるようにすることで、扉板上端７ａから蹴込み板下端８ｂまでの高さ寸法Ｅの異なる引き出し手前部２を有する蹴込み付き引き出し箱１を得ることができる。
【特許文献１】特開２００２−２５３３７５号公報
【発明の開示】
【発明が解決しようとする課題】
【０００６】
ところが、上記の蹴込み付き引出し箱の構造の場合、連結具を介して蹴込み板と扉板を固定するのにビスが使用されていた。
【０００７】
そのため、ビスを捩じ込む必要があるので組み立てに手間がかかるとともに、ビスによる固定では蹴込み付き引出し箱に強い力がかかると扉板が外れるという問題があった。
【０００８】
そこで、本発明は組み立てが容易で、且つ高い強度を持つ蹴込み付き引出し箱の構造を提供することを目的とする。
【課題を解決するための手段】
【０００９】
請求項１の発明は、引出し箱の蹴込み板と扉板とが支持具を介して固定される蹴込み付き引出し箱の構造であって、前記支持具は上部支持具と下部支持具とからなり、この上部支持具と下部支持具のそれぞれが、蹴込み板と扉板との間隔を保つスペーサーと、蹴込み板に挿嵌して係止する蹴込み板取付部と、扉板に挿嵌して係止する扉板取付部とで一体成形されることを特徴としている。
【００１０】
この蹴込み付き引出し箱の構造であれば、蹴込み板と扉板との間隔を自動的にスペーサーで位置決めできる。また、蹴込み板取付部を蹴込み板に挿嵌するだけで蹴込み板を係止でき、扉板取付部を扉板に挿嵌するだけで扉板を係止することができる。
【００１１】
請求項２の発明は、請求項１に記載の蹴込み付き引出し箱の構造であって、前記上部支持具の上端部に蹴込み付き引出し箱の引出し用の把手部が上方に突出して設けられることを特徴としている。
【００１２】
この蹴込み付き引出し箱の構造であれば、蹴込み付き引出し箱の上端部に手を引っ掛けて蹴込み付き引出し箱の開閉ができる。
【００１３】
請求項３の発明は、請求項１又は請求項２に記載の蹴込み付き引出し箱の構造であって、前記蹴込み付き引出し箱が洗面化粧台の蹴込み付き引出し箱であることを特徴としている。
【００１４】
この蹴込み付き引出し箱の構造であれば、蹴込み板と扉板との間隔を自動的にスペーサーで位置決めできるとともに、蹴込み板取付部を蹴込み板に挿嵌するだけで蹴込み板を係止でき、扉板取付部を扉板に挿嵌するだけで扉板を係止することができる。
【００１５】
請求項４の発明は、引出し箱の蹴込み板と扉板とが支持具を介して固定される蹴込み付き引出し箱の製造方法であって、前記支持具は上部支持具と下部支持具とからなり、この上部支持具と下部支持具のそれぞれが、蹴込み板と扉板との間隔を保つスペーサーと、蹴込み板に係止する蹴込み板取付部と、扉板に係止する扉板取付部とで一体成形され、前記上部支持具と下部支持具の蹴込み板取付部と扉板取付部が、蹴込み板と扉板にそれぞれ挿嵌して係止することを特徴としている。
【００１６】
この蹴込み付き引出し箱の製造方法であれば、蹴込み板と扉板との間隔を自動的にスペーサーで位置決めできる。また、蹴込み板取付部を蹴込み板に挿嵌するだけで蹴込み板を係止でき、扉板取付部を扉板に挿嵌するだけで扉板を係止することができる。
【発明の効果】
【００１７】
請求項１記載の発明によれば、蹴込み板と扉板との間隔を自動的にスペーサーで位置決めできる。蹴込み板取付部を蹴込み板に挿嵌するだけで蹴込み板を係止でき、扉板取付部を扉板に挿嵌するだけで扉板を係止することができる。
【００１８】
そのため、位置決めが自動的にできるので、組み立てが容易にできる。
【００１９】
さらに、スペーサーと蹴込み板取付部と扉板取付部は一体成形されるので、
高い強度を持つ蹴込み付き引出し箱の構造にできる。
【００２０】
請求項２記載の発明によれば、蹴込み付き引出し箱の上端部に手を引っ掛けて蹴込み付き引出し箱の開閉ができる。
【００２１】
そのため、使用者が蹴込み付き引出し箱を開閉する際に、わざわざしゃがみ込む必要が無く、略作業姿勢のままで開閉できるため、作業性を向上させることができる。
【００２２】
請求項３の発明によれば、蹴込み板と扉板との間隔を自動的にスペーサーで位置決めできる。蹴込み板取付部を蹴込み板に挿嵌するだけで蹴込み板を係止でき、扉板取付部を扉板に挿嵌するだけで扉板を係止することができる。
【００２３】
そのため、位置決めが自動的にできて、組み立てが容易な化粧台にできる。
【００２４】
さらに、スペーサーと蹴込み板取付部と扉板取付部は一体成形されるので、
化粧台の蹴込み付き引出し箱を高い強度を持つ構造にできる。
【００２５】
請求項４の発明によれば、組み立てが容易で、且つ高い強度を持つ蹴込み付き引出し箱の製造方法を提供できる。
【発明を実施するための最良の形態】
【００２６】
＜本発明の第１の実施形態＞
以下に、本発明の第１の実施形態を図１〜図４に基づいて説明する。
【００２７】
＜蹴込み付き引出し箱の構成＞  
図１、図２、図３に示すように、洗面台２０は上段引出し箱１８と蹴込み付き引出し箱２１とを備え、蹴込み付き引出し箱２１の前側は、引出し箱本体１９の蹴込み板２２と扉板２３とが支持具２４を介して固定される。
【００２８】
前記支持具２４は上部支持具２４ａと下部支持具２４ｂとの２箇所からなり、この上部支持具２４ａと下部支持具２４ｂのそれぞれが、蹴込み板２２と扉板２３の間隔を保つスペーサー２５と、蹴込み板２２に挿嵌して係止する（蹴込み板取付部としての）フック２６と、扉板２３に挿嵌して係止する（扉板取付部としての）フック２７とで一体成形される。
【００２９】
蹴込み付き引出し箱２１は、上部支持具２４ａが洗面台２０の枠材１６に当接する位置で洗面台２０に格納される。
【００３０】
そして、使用者が洗面台２０に向かって立ったときに、洗面台２０の天面２８の中央前端部２９に使用者の体が触れる状態で、使用者の足のつま先が蹴込み板２２の側面部（前面）２２ｂに接触しないように、蹴込み板２２の前方で扉板２３の下部には空間Ｇが形成される。
【００３１】
ここで、引出し箱本体１９は、矩形状の底板部１９ａと一対の側板部１９ｂと背板部１９ｃと蹴込み板２２とがそれぞれ接着剤或いはビス等により固着されて箱形に形成され、さらに、一対の側板部１９ｂの上方で、背板部１９ｃと蹴込み板２２との間は補強ステー１９ｄによって連結補強されている。そして、引出し箱本体１９は洗面台２０側に備えられたスライドレール１７によって支持されているので、蹴込み付き引出し箱２１全体をスライドして出入することができる。
【００３２】
＜支持具２４の詳細構造＞
図４に示すように、上部支持具２４ａには、蹴込み板２２と扉板２３をそれぞれ係止するために、２組の矩形形状の凹溝３２、３３が、凹溝を下方に向けて隣接し一体形成される。そして、この凹溝３２、３３のそれぞれ一方の壁は共有されており、蹴込み板２２と扉板２３の間隔をＳに保つスペーサー２５として使用される。スペーサー２５は長さＵ、厚さＳの長方形の断面形状である。
【００３３】
凹溝３２、３３のそれぞれ他方の壁３４、３５は長さＴ、厚さＳの長方形の断面形状で、一体的に形成された凹溝３２、３３の底壁３６は厚さＳ、長さ（２ｘＴ＋３ｘＳ）で連続している。
【００３４】
そして、凹溝３２、３３のそれぞれ底壁３６の中心に、高さＭの（蹴込み板取付け部としての）フック２６と（扉板取付部としての）フック２７がそれぞれ設けられる。フック２６、２７の形状は、底壁３６に立設された高さＬ、直径Ｓの円柱上に、高さ（Ｍ−Ｌ）、底面直径Ｎの円錐形が固着してなる（断面が）矢印形状である。
【００３５】
さらに、凹溝３３の底壁３６の外面３６ａ上に、凹溝３３の他方の壁３５を延設するように蹴込み付き引出し箱２１の引出し用の把手部３７（長さＴ、厚さＳ）が上方に突出して設けられる。
【００３６】
同様に、凹溝３３の底壁３６の外面３６ａ上に、凹溝３３の一方の壁（スペーサー２５）の内壁３３ａを延長してなる面を側面３８ａとする当接部３８（長さＶ、側面３８ａから前方向に厚さＳ）が突出して設けられる。
【００３７】
この当接部３８は、上述のように、蹴込み付き引出し箱２１の上部支持具２４ａが洗面台２０の枠材１６に当接する位置で洗面台２０に格納される際の、位置決めの役目を持っている。
【００３８】
下部支持具２４ｂは、長さＱ（＝Ｔ＋Ｓ）、厚さＳの長方形の水平部材４１が形成され、その水平部材４１の一端部４２には、フック２６が水平部材４１の延長方向に形成されるとともに、水平部材４１に直角で下方に向けて長さＰ、厚さＳのスペーサー３０を備えている。
【００３９】
そして、水平部材４１の他端部４３からスペーサー３０に至る長さＴの中間点４４には上方に向けてフック２７が設けられる。
【００４０】
ここで、フック２６、２７の形状は上述の上部支持具２４ａにおけるフック２６、２７の形状と全く同じである。また、上部支持具２４ａと下部支持具２４ｂの幅（図４における紙面の手前奥行き方向の長さ）は、蹴込み付き引出し箱２１の幅方向と同じ長さに連続して形成されるが、フック２６、２７は蹴込み付き引出し箱２１の幅方向に所要数が所用間隔で配置される。
【００４１】
さらに、“Ｄ“に示すように、扉板２３の下端部２３ｂにはフック２７の挿嵌用の孔４５が内径Ｊ、深さＫで設けられる。このとき、Ｊ＜Ｎ、Ｋ＞Ｍの関係に形成されるので、フック２７は孔４５に挿嵌されるときに、フック２７の根元まで十分挿入できるとともに、フック２７の矢印形状が孔４５の内壁４６に湾曲して挿入されるので、その反力によってフック２７は内壁４６に密着固定できる。
【００４２】
なお、図示しないが他のフック２６、２７に対応する蹴込み板２２の上端部２２ａ、側面部２２ｂ、扉板２３の上端部２３ａにも、全く同様に孔４５が形成される。
【００４３】
蹴込み板２２と扉板２３の材質は特に限定されず、例えば合板等が用いられる。支持具２４の材質は、フック２６、２７が孔４５に挿嵌されて固着し所要の強度が保持できるものであれば特別の材料でなくてもよく、例えば、木材や合成樹脂材等が使用される。ここで、 フック２６、２７を孔４５に挿嵌する際に接着剤を塗布することはさらに好ましい。
【００４４】
＜蹴込み付き引出し箱の作用＞
＜第1段階＞  図５（ａ）に示すように、予め、蹴込み板２２の上端部２２ａと側面部２２ｂに孔４５が設けられている。
【００４５】
＜第２段階＞  図５（ｂ）に示すように、フック２７が上方を向くようにして、下部支持具２４ｂのフック２６を蹴込み板２２の側面部２２ｂの孔４５に挿入（挿嵌）する。このとき、スペーサー３０が蹴込み板２２に当接するまでフック２６を挿入すればよいので、フック２６の挿入位置をわざわざ確認する必要がない。
【００４６】
＜第３段階＞
扉板２３の上下端部２３ａ、２３ｂには予め孔４５が形成されている。そして上方に向いているフック２７に扉板２３を挿入する。このとき扉板２３の下端部２３ｂが下部支持具２４ｂに当接するまで挿入すればよいのでフック２７の挿入位置をわざわざ確認する必要がない。
【００４７】
＜第４段階＞
上部支持具２４ａのフック２６、２７を蹴込み板２２と扉板２３のそれぞれの孔４５に挿入する。このとき、上部支持具２４ａが蹴込み板２２と扉板２３の上端部２２ａ、２３ａに当接するまで挿入すればよいので挿入位置をわざわざ確認する必要がない。
【００４８】
上述のように、上部支持具２４ａのフック２６、２７を蹴込み板２２と扉板２３のそれぞれの孔４５に挿入するだけなので、組み立てに手間がかからず容易にできる。また、位置あわせが不要なので正確な位置に容易に組み立てすることができる。
【００４９】
そして、ビス等を使用しないので、部材(部品)点数も減少できる。
【００５０】
また、フック２６、２７は孔４５に挿嵌されるときに、フック２６、２７の根元まで十分挿入できるとともに、フック２６、２７の矢印形状が孔４５の内壁４６に湾曲して密着するので、フック２６、２７と蹴込み板２２、扉板２３とが強固に固着することができる。
【００５１】
２組の凹溝３２、３３のそれぞれの他方の壁３４、３５は長さＴ、厚さＳの長方形の断面形状で形成され、２組の凹溝３２、３３は連続する厚さＳの底壁３６で一体的に形成されるので、蹴込み板２２の上端部２２ａと扉板２３の上端部２３ａが上部支持具２４ａの凹溝３２、３３によって保持される。そのため、蹴込み付き引出し箱２１を確実に保持することができるので、蹴込み付き引出し箱２１に強い力がかかっても蹴込み板２２、扉板２３が外れることがない。
【００５２】
さらに、底壁３６の外面３６ａ上に、蹴込み付き引出し箱２１の引出し用の把手部３７（長さＴ、厚さＳ）が上方に突出して設けられる。そのため、把手部３７に手を引っ掛けて蹴込み付き引出し箱２１の開閉ができるので、使用者が蹴込み付き引出し箱２１を開閉する際にわざわざしゃがみ込む必要が無く、略作業姿勢のままで自在に開閉できるので作業性を向上させることができる。
【００５３】
＜本発明の第２の実施形態＞
図６を用いて本発明の第２の実施形態を説明するが、図４と同構成部分については、図面に同符号を付して重複した説明を省略する。
【００５４】
図６に示すように、上部支持具２４ａには、蹴込み板２２と扉板２３をそれぞれ係止めするための矩形形状の２組の凹溝３２、３３が、蹴込み板２２と扉板２３の距離に相当する長さＷだけ離れて形成される。さらに、２組の凹溝３２、３３に挟まれて凹溝５０が形成される。
【００５５】
このとき、それぞれの凹溝３２、３３の凹溝５０に面する壁５１、５２は凹溝５０自身の壁として共有される。そして、凹溝５０の壁５１、５２は、蹴込み板２２と扉板２３間の長さ（間隔）Ｗを常に一定に保つためのスペーサー（５１、５２）でもある。この一対のスペーサー（５１、５２）は、長さＵ、厚さＳの長方形の断面形状に形成される。
【００５６】
下部支持具２４ｂは、長さＹ（＝Ｔ＋Ｗ）、厚さＳの長方形の水平部材５３が形成され、その水平部材５３の一端部４２には、水平部材４１の延長方向にフック２６が形成されるとともに、水平部材５３と直角に長さＰ、幅Ｓのスペーサー３０を下方に向けて備えるとともに、上方に向けてスペーサー５４が長さＵ、幅Ｓで形成される。
【００５７】
そして、水平部材５３から上方に向けて凹溝５０の壁５１、５２に対向する位置で、スペーサー５４、５６が立設される。ここで、この一対のスペーサー５４、５６は凹溝５５自身の壁として共有され、長さＵ、厚さＳの長方形の断面形状で形成される。また、水平部材５３の他端部４３とスペーサー５６に至る中間点４４には上方に向けてフック２７が設けられる。
【００５８】
このように、本発明の第２の実施形態によれば、蹴込み板２２の前方で扉板２３の下部の空間Ｇをさらに広く形成することができる。そのため、使用者が洗面台２０に向かって立ったときに、使用者の足のつま先が蹴込み板２２の側面部（前面）２２ｂに接触する可能性がさらになくなるので、使用勝手がさらに向上する。
【００５９】
以上、本発明の実施形態を図面に基づいて説明したが、上記の実施例はいずれも本発明の一例を示したものであり、本発明はこれらに限定されるべきでないということはいうまでもない。
【００６０】
本発明の第１の実施形態における、下部支持具２４ｂのスペーサー３０は、下方に向ける代わりに上方に向けても構わないし、上方下方の両方に設けても構わない。
【００６１】
同様に、本発明の第２の実施形態における、下部支持具２４ｂの上方下方のスペーサー３０、５４は、どちらか一方を省略しても構わない。
【００６２】
実施例では、断面が矢印形のフック２６、２７は、高さＬ、直径Ｓの円柱に高さ（Ｍ−Ｌ）、底面直径Ｎの円錐形が固着した形状であるが、必ずしもこの形でなくてもよく、例えば側面が曲線状の略円錐形状や円錐台形状でも構わない。
【図面の簡単な説明】
【００６３】
【図１】本発明の実施形態における、蹴込み付き引出し箱を備えた洗面台を示す側面断面図である。
【図２】本発明の第１の実施形態における、図１のＡ−Ａ矢視図である。
【図３】本発明の第１の実施形態における、図１のＢ−Ｂ矢視図である。
【図４】本発明の第１の実施形態における、図１のＣ部の詳細断面図である。
【図５】本発明の第１の実施形態における、図１のＣ部の組立順序を示す断面図である。
【図６】本発明の第２の実施形態における、図１のＣ部の詳細断面図である。
【図７】従来の、蹴込み付き引出しの構造を示す側面断面図である。
【符号の説明】
【００６４】
２０  洗面台
２１  蹴込み付き引出し箱
２２  蹴込み板
２３  扉板
２４  支持具
２４ａ  上部支持具
２４ｂ  下部支持具
２５  スペーサー
２６  フック
２７  フック
３２  凹溝
３３  凹溝
３４  壁
３５  壁
３６  底壁
３６ａ  外面
３７  把手部
３８  当接部
Ｔ  長さ
Ｓ  厚さ
【図１】
2006122107.tif 000003
【図２】
2006122107.tif 000004
【図３】
2006122107.tif 000005
【図４】
2006122107.tif 000006
【図５】
2006122107.tif 000007
【図６】
2006122107.tif 000008
【図７】
2006122107.tif 000009